(57)【要約】【課題】硬質ガスケットのうち液状ガスケットが塗布される領域に対して、液状ガスケットの量が多すぎてしまうことを抑制し、かつ液状ガスケットが好ましくない領域に流れ出してしまうことを抑制可能な密封装置及び密封構造を提供する。【解決手段】硬質ガスケット１００は、液状ガスケット２００ａが塗布される塗布領域に隣接し、かつチェーンケースから離れるように凹み、液状ガスケット２００ａの一部を溜められる凹部１２０と、凹部１２０を介して前記塗布領域とは反対側に設けられ、液状ガスケット２００ａの移動を規制する規制部１３０と、を備えることを特徴とする。【選択図】図４
2018189195.tif 000002
【特許請求の範囲】
【請求項１】
２部材間の隙間を封止する板状の硬質ガスケットと、
前記２部材の両者の側面に対向する対向面を有する側面側部材における前記対向面と、前記硬質ガスケットの側面との間に形成された隙間を封止する弾性ガスケットと、
を備える密封装置であって、
前記弾性ガスケットは、前記硬質ガスケットに塗布された液状ガスケットが硬化されることにより設けられると共に、
前記硬質ガスケットは、
前記液状ガスケットが塗布される塗布領域に隣接し、かつ前記側面側部材から離れるように凹み、前記液状ガスケットの一部を溜められる凹部と、
前記凹部を介して前記塗布領域とは反対側に設けられ、前記液状ガスケットの移動を規制する規制部と、
を備えることを特徴とする密封装置。
【請求項２】
２部材と、
前記２部材の両者の側面に対向する対向面を有する側面側部材と、
前記２部材間の隙間を封止する板状の硬質ガスケットと、前記対向面と前記硬質ガスケットの側面との間に形成された隙間を封止する弾性ガスケットと、
を備える密封構造であって、
前記弾性ガスケットは、前記硬質ガスケットに塗布された液状ガスケットが硬化されることにより設けられると共に、
前記硬質ガスケットは、
前記液状ガスケットが塗布される塗布領域に隣接し、かつ前記側面側部材から離れるように凹み、前記液状ガスケットの一部を溜められる凹部と、
前記凹部を介して前記塗布領域とは反対側に設けられ、前記液状ガスケットの移動を規制する規制部と、
を備えることを特徴とする密封構造。
【発明の詳細な説明】
【技術分野】
【０００１】
本発明は、３つの部材間の隙間を封止する密封装置及び密封構造に関する。
【背景技術】
【０００２】
３つの部材間の隙間を封止する場合、金属などの硬質ガスケットのみで封止させるのは困難である。そのため、硬質ガスケットの一部に液状ガスケットを塗布させることが多い。なお、液状ガスケットは硬化されて、弾性を有するガスケットとなる。液状ガスケットが塗布される場合、液状ガスケットの量が少ないと、シール不良になってしまう。そのため、一般的に、液状ガスケットは必要量よりも多く塗布される。しかしながら、液状ガスケットの量が多すぎると、硬質ガスケットによるシール性が低減してしまうおそれもある。また、３つの部材を固定させる際に、液状ガスケットが好ましくない領域に流れ出してしまうおそれもある。
【先行技術文献】
【特許文献】
【０００３】
【特許文献１】特開２００１−９０８４０号公報
【発明の概要】
【発明が解決しようとする課題】
【０００４】
本発明の目的は、硬質ガスケットのうち液状ガスケットが塗布される領域に対して、液状ガスケットの量が多すぎてしまうことを抑制し、かつ液状ガスケットが好ましくない領域に流れ出してしまうことを抑制可能な密封装置及び密封構造を提供することにある。
【課題を解決するための手段】
【０００５】
本発明は、上記課題を解決するために以下の手段を採用した。
【０００６】
すなわち、本発明の密封装置は、
２部材間の隙間を封止する板状の硬質ガスケットと、
前記２部材の両者の側面に対向する対向面を有する側面側部材における前記対向面と、前記硬質ガスケットの側面との間に形成された隙間を封止する弾性ガスケットと、
を備える密封装置であって、
前記弾性ガスケットは、前記硬質ガスケットに塗布された液状ガスケットが硬化されることにより設けられると共に、
前記硬質ガスケットは、
前記液状ガスケットが塗布される塗布領域に隣接し、かつ前記側面側部材から離れるように凹み、前記液状ガスケットの一部を溜められる凹部と、
前記凹部を介して前記塗布領域とは反対側に設けられ、前記液状ガスケットの移動を規制する規制部と、
を備えることを特徴とする。
【０００７】
また、本発明の密封構造は、
２部材と、
前記２部材の両者の側面に対向する対向面を有する側面側部材と、
前記２部材間の隙間を封止する板状の硬質ガスケットと、前記対向面と前記硬質ガスケットの側面との間に形成された隙間を埋める弾性ガスケットと、
を備える密封構造であって、
前記弾性ガスケットは、前記硬質ガスケットに塗布された液状ガスケットが硬化される
ことにより設けられると共に、
前記硬質ガスケットは、
前記液状ガスケットが塗布される塗布領域に隣接し、かつ前記側面側部材から離れるように凹み、前記液状ガスケットの一部を溜められる凹部と、
前記凹部を介して前記塗布領域とは反対側に設けられ、前記液状ガスケットの移動を規制する規制部と、
を備えることを特徴とする。
【０００８】
本発明によれば、硬質ガスケットに備えられた凹部に、液状ガスケットの一部を溜めることができる。従って、液状ガスケットの塗布量が多くても、硬質ガスケットのうち液状ガスケットが塗布される領域に対して、液状ガスケットの量が多すぎてしまうことを抑制することができる。また、硬質ガスケットに備えられた規制部によって、塗布領域に塗布された液状ガスケットが、凹部を介して塗布領域とは反対側に移動してしまうことが抑制される。これにより、規制部を介して塗布領域とは反対側の領域（好ましくない領域）に液状ガスケットが流れ出してしまうことを抑制することができる。
【発明の効果】
【０００９】
以上説明したように、本発明によれば、硬質ガスケットのうち液状ガスケットが塗布される領域に対して、液状ガスケットの量が多すぎてしまうことを抑制し、かつ液状ガスケットが好ましくない領域に流れ出してしまうことを抑制することができる。
【図面の簡単な説明】
【００１０】
【図１】図１は本発明の実施例に係る密封構造を構成する各種部材の部品展開斜視図である。
【図２】図２は本発明の実施例に係る密封構造の平面図の一部である。
【図３】図３は本発明の実施例に係る密封構造の模式的断面図の一部である。
【図４】図４は本発明の実施例に係る密封構造の組み立て説明図である。
【図５】図５は本発明の実施例に係る密封構造の組み立て説明図である。
【発明を実施するための形態】
【００１１】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。なお、本実施例においては、自動車のエンジンに備えられる密封装置及び密封構造を例にして説明する。すなわち、本実施例においては、３つの部材（本発明における２部材及び側面側部材）について、２部材がシリンダブロックとシリンダヘッドであり、側面側部材がチェーンケースである場合を例にして説明する。
【００１２】
（実施例）
図１〜図５を参照して、本発明の実施例に係る密封装置及び密封構造について説明する。図１は本発明の実施例に係る密封構造を構成する各種部材の部品展開斜視図である。図２は本発明の実施例に係る密封構造の平面図の一部である。図３は本発明の実施例に係る密封構造の模式的断面図の一部であり、図２中のＡＡ断面図である。図４は本発明の実施例に係る密封構造の組み立て説明図であり、チェーンケースを取り付ける前の様子を示している。図５は本発明の実施例に係る密封構造の組み立て説明図であり、チェーンケースが取り付けられる過程の様子を示している。なお、説明の便宜上、図４及び図５においては、シリンダヘッドを省略している。
【００１３】
＜密封構造＞
本実施例に係る密封構造について説明する。本実施例に係る密封構造は、２部材（シリ
ンダブロック３００とシリンダヘッド４００）と、シリンダブロック３００の側面３２０とシリンダヘッド４００の側面４２０の両者に対向する対向面５１０を有する側面側部材（チェーンケース５００）とを備えている。そして、本実施例に係る密封構造は、シリンダブロック３００とシリンダヘッド４００との間の隙間を封止する板状の硬質ガスケット（シリンダヘッドガスケット）１００を備えている。この硬質ガスケット１００は、金属などの硬質の材料により構成されている。また、硬質ガスケット１００によって、シリンダブロック３００におけるシリンダヘッド４００側の面３１０と、シリンダヘッド４００におけるシリンダブロック３００側の面４１０との間の隙間が封止される。なお、図１においては、シリンダブロック３００とシリンダヘッド４００とチェーンケース５００と硬質ガスケット１００との配置関係が分かり易いように、各部材を少し離した状態の斜視図を模式的に示している。
【００１４】
また、本実施例に係る密封構造は、チェーンケース５００における上記の対向面５１０と硬質ガスケット１００の側面１１０との間に形成された隙間を封止する弾性ガスケット２００を備えている。弾性ガスケット２００は、硬質ガスケット１００に塗布された液状ガスケット２００ａが硬化されることにより設けられる。本実施例に係る密封装置は、硬質ガスケット１００と弾性ガスケット２００とにより構成される。
【００１５】
＜弾性ガスケット＞
本実施例に係る弾性ガスケット２００について、より詳細に説明する。弾性ガスケット２００は、上記の通り、液状ガスケット２００ａが硬化されることにより設けられる。以下、弾性ガスケット２００が設けられるまでの手順について説明する。まず、硬質ガスケット１００を挟み込んだ状態で、シリンダブロック３００とシリンダヘッド４００が固定される。次に、硬質ガスケット１００の側面１１０に液状ガスケット２００ａが塗布される（図４参照）。その後、液状ガスケット２００ａが硬化される前に、チェーンケース５００が、シリンダブロック３００及びシリンダヘッド４００に対して固定される。これにより、チェーンケース５００における上記の対向面５１０と硬質ガスケット１００の側面１１０との間に形成された隙間が液状ガスケット２００ａによって封止された状態となる。その後、液状ガスケット２００ａは硬化し、弾性ガスケット２００となる。なお、液状ガスケットについては公知技術であるので、その詳細な説明は省略するが、常温で硬化するタイプ、加熱により硬化するタイプ、化学反応により硬化するタイプなど各種のものがある。また、上記の手順では、硬質ガスケット１００の側面１１０に液状ガスケット２００ａが直接的に塗布される場合を説明した。しかしながら、最初に、チェーンケース５００の上記の対向面５１０に液状ガスケット２００ａを塗布させておいてもよい。この場合でも、チェーンケース５００をシリンダブロック３００等に対して固定させる過程で、結果的に、硬質ガスケット１００の側面１１０の所望の塗布領域に液状ガスケット２００ａを塗布させることが可能となる。
【００１６】
＜硬質ガスケット＞
本実施例に係る硬質ガスケット１００について、より詳細に説明する。本実施例に係る硬質ガスケット１００の側面１１０側には、凹部１２０が備えられている。この凹部１２０は、液状ガスケット２００ａが塗布される塗布領域に隣接し、かつチェーンケース５００から離れるように凹んだ部分により構成されている。そして、凹部１２０は、液状ガスケット２００ａの一部を溜める役割を担っている。また、硬質ガスケット１００には、凹部１２０を介して上記の塗布領域とは反対側に設けられ、液状ガスケット２００ａの移動を規制する規制部１３０が備えられている。この規制部１３０は、凹部１２０の底の位置からチェーンケース５００に向かって突出するように設けられている。なお、本実施例においては、硬質ガスケット１００の側面１１０（チェーンケース５００における上記の対向面５１０と対向する側の側面）のうち、凹部１２０を介して規制部１３０とは反対側の領域全体が、上記の塗布領域に相当する。
【００１７】
＜本実施例に係る密封装置及び密封構造の優れた点＞
本実施例に係る密封装置及び密封構造によれば、硬質ガスケット１００に備えられた凹部１２０に、液状ガスケット２００ａの一部を溜めることができる。従って、液状ガスケット２００ａの塗布量が多くても、硬質ガスケット１００のうち液状ガスケット２００ａが塗布される領域に対して、液状ガスケット２００ａの量が多すぎてしまうことを抑制することができる。この点について、図４及び図５を参照して、より詳しく説明する。
【００１８】
上記の通り、硬質ガスケット１００における側面１１０のうち、凹部１２０を介して規制部１３０とは反対側の塗布領域に液状ガスケット２００ａが塗布される（図４参照）。その後、チェーンケース５００がシリンダブロック３００及びシリンダヘッド４００に対して固定される。図５中の点線は、チェーンケース５００の上記の対向面５１０と液状ガスケット２００ａとが接する前の状態を示している。そして、チェーンケース５００がシリンダブロック３００等に固定される過程で、チェーンケース５００の上記の対向面５１０によって、液状ガスケット２００ａは図５中Ａ方向に押し込まれる。これにより、液状ガスケット２００ａの一部が凹部１２０に流れ込んでいく（図５中、矢印Ｘ参照）。従って、硬質ガスケット１００のうち液状ガスケット２００ａが塗布される領域に対して、液状ガスケット２００ａの量が多すぎてしまうことを抑制することができる。なお、上記の通り、最初にチェーンケース５００の上記の対向面５１０に対して液状ガスケット２００ａを塗布させてもよい。この場合には、チェーンケース５００がシリンダブロック３００等に固定される過程で、液状ガスケット２００ａが硬質ガスケット１００の側面１１０における塗布領域に塗布される。そして、液状ガスケット２００ａの一部は凹部１２０に流れ込んでいく。この場合でも、硬質ガスケット１００のうち液状ガスケット２００ａが塗布される領域に対して、液状ガスケット２００ａの量が多すぎてしまうことを抑制することができる。
【００１９】
また、硬質ガスケット１００に備えられた規制部１３０によって、塗布領域に塗布された液状ガスケット２００ａが、凹部１２０を介して塗布領域とは反対側に移動してしまうことが抑制される。これにより、規制部１３０を介して塗布領域とは反対側の領域（好ましくない領域）に液状ガスケットが流れ出してしまうことを抑制することができる。なお、本実施例においては、規制部１３０を介して塗布領域とは反対側の領域は、チェーンケース５００の内部側の領域となる。そのため、この領域に液状ガスケットが流れ出してしまうと、拭き取り作業がやり難かったり、他の部品に液状ガスケットが付着したりしてしまうおそれがある。従って、この領域に液状ガスケットが流れ出してしまうのは好ましくない。これに対して、チェーンケース５００が取り付けられる過程で、上記の塗布領域を介して凹部１２０とは反対側の領域にも液状ガスケット２００ａが流れ出る可能性もある。しかしながら、当該領域に液状ガスケット２００ａが流れ出ても簡単に拭き取れるため、特に問題はない。
【符号の説明】
【００２０】
１００  硬質ガスケット
１１０  側面
１２０  凹部
１３０  規制部
２００  弾性ガスケット
２００ａ  液状ガスケット
３００  シリンダブロック
３１０  面
３２０  側面
４００  シリンダヘッド
４１０  面
４２０  側面
５００  チェーンケース
５１０  対向面
【図１】
2018189195.tif 000003
【図２】
2018189195.tif 000004
【図３】
2018189195.tif 000005
【図４】
2018189195.tif 000006
【図５】
2018189195.tif 000007